(57)【要約】      （修正有）【課題】蛇口が水圧など作用で抜けることを防止する改良した蛇口継目を提供する。【解決手段】蛇口継目の本体７に錐部７４１を作り、締め付け用の配管８の下半部にも錐部８１を作り、本体のカバー６で締め付けて、配管８の錐部８１と本体７の錐部７４１とを密着させ、更に狭いスペースにしっかりと膨らみ、蛇口５の水道配管出口５０の管壁と広い面積で密着し、緩みとめの作用が働くという特徴がある蛇口継目である。【選択図】図８
0003105626.tif 000002
【実用新案登録請求の範囲】
【請求項１】
カバーと、本体とからなり、
カバーには中心穴があり、内部にはねじ山があり、本体表面の上半部には外部ねじ山を形成し、下部は外部ねじ山或いは接続配管であり、カバーのねじ山は本体外部に位置しているねじ山と接続し、本体の表面の中心位置には二つの付属塊を設置可能であり、本体には通路を設置可能であり、通路の中には中心穴ゴムの締め付け用の配管を設置可能であり、
本体の内部には錐部があり、締め付け用配管の下部にも錐部があり、
締め付け用配管の錐部と本体の斜面とは密着しており、
蛇口の水道配管出口に取り付けることにより、カバーが降りて締め付け用配管を圧迫し、錐部を縮め、本体通路の錐部を密着し、狭いスペースにしっかりと膨らみ、蛇口の水道配管出口の管壁と広い面積で密着し、緩みとめの作用が働くことを特徴とする蛇口継目の改良構造。
【考案の詳細な説明】
【技術分野】
【０００１】
本考案は、蛇口が水圧などの作用で抜けることを防止する蛇口継目の改良構造に関する。
【背景技術】
【０００２】
図１に示すのは、伝統的な蛇口継目として利用されているものである。次に図２を参照し、それはカバー１と本体２とからなる。それから図４を参照し、このカバー１には中央の穴１０があり、内側にはねじ山１１もあり、更に、この内部ねじ山１１の上には斜面１２があり、本体２の表面においた上半部と下半部とにはそれぞれ上の外部ねじ山２０と下の外ねじ山２１とを造り、中心の対称的な位置には二つの耳２２、２３があり、共に固定チェーン２６の両端を接続することができる。この本体２の内部はＴ形の通路２４である。そのトップに少し弾力性のあるかみ合い切片が多くあり、対向する部分にもかみ合い２５１があり、この通路２４の中にはゴムの材料で作った中心穴４０を有する締め付け用配管４がある。
【０００３】
使用するときは図３のように、まずカバー１の中心穴１０を蛇口５の水道管出口５０の上部に通過させ、更に本体２の締め付け用配管４は中心穴４０を蛇口の水道管出口５０の表面に置いて、本体のねじ山からカバー１およびそのボルトを外し、カバーと本体とを締め付けるとカバーの内部の斜面１２では幾らかのかみ合い２５がきつくなるほかに、内部を締め付ける作用も起こり、多数のかみ合い切片２５とかみ合いとは締め付け用配管５０の対応している位置で接続する。更に、このような蛇口の継目は普通下に位置しているねじ山２１もナット付き３０の水道配管３と接続してもよい。この蛇口の継目を使うと、水道配管の抜け防止となる。
【０００４】
この構造から、このような伝統的な蛇口継目の効果的な位置は、本体２のかみ合い切片２５という部位である。つまり、伝統的な蛇口は、有効な抵抗力で強大な水圧がかかる部位を避けており、このかみ合い切片は、歯２５１ごとの締め付け用の配管４の対応している位置に対して点状の部位となり、水の量が増加するかあるいは配管が折れることにより水流が障害となる場合に配管内の水圧が増加し、蛇口継目が蛇口から抜け、利用しにくい。
【０００５】
この問題を解決するために、普通に利用されている方法は次のようなものであり、まず、本体の中間にかみ合い耳２２、２３を設け、共同で固定チェーン２６に接続し、更にこのチェーン２６を蛇口の首５１に回し、蛇口の水圧抵抗を強化する。しかし、このチェーン２６は長い間圧力を受けたり、自然条件（風雨、乾燥）で割れたりする可能性があり、これを解決することが必要である。
【考案の開示】
【考案が解決しようとする課題】
【０００６】
よって本考案の主な目的は、蛇口が水圧など作用で抜けることを防止する改良した蛇口継目を提供することである。
【課題を解決するための手段】
【０００７】
蛇口継目の本体に錐部を作り、締め付け用の配管の下半部にも錐部を作り、本体のカバーで締め付けて、配管の錐部と本体の錐部とを密着させ、更に狭いスペースにしっかりと膨らみ、蛇口の水道配管出口の管壁と広い面積で密着し、緩みとめの作用が働くという特徴がある。
蛇口継目に対して改良を行うと、蛇口が水圧など作用で抜けることを防ぐことができる。つまり、蛇口を本体に接続するときに錐型部を設け、配管が錐型にだんだん近づき、ナットを締め付けるとともに、配管に対しての圧力を増加することになる。
【考案を実施するための最良の形態】
【０００８】
図５、６を参照する。本考案の第一実施例による蛇口継目の改良構造は、カバー６と本体７とからなり（図８を参照する）、カバー６には中心穴６０があり、内側には内部ねじ山６１があり、本体７の表面においた上半部と下半部とにはそれぞれ上の外部ねじ山７０と下の外部ねじ山７１を作り、この表面には上半部と下半部とがあり、それぞれ上の外部ねじ山と下の外部ねじ山があり、このカバー６は内部ねじ山６１で本体７においた上の外部ねじ山７０に接続し、本体７の中間表面に対応している位置にも二つの付属塊７２、７３を設け、本体７の内側にも通路７４を作り、更に壁の下部が錐部７４１であり、通路７４の中にはゴミ材である中心穴８０の締め付け用の配管８をおいて、この配管８にも錐部８１があり、組み立てると、配管８の錐部８１と本体７の通路７４の錐部７４１と接続する。
【０００９】
蛇口５を取り付けるときは、図７のように、まずカバー６は中心穴６０を蛇口５の水道管出口５の上部に通過させて、更に本体７においた締め付け用配管８は中心穴８０を蛇口５の水道管出口５０の表面に置いて、本体７の上の外部ねじ山７０からカバー６とそのボルトを外し、カバー６を締め付けると降りることになり、更に締め付け用配管８を圧迫し、締め付け用配管の錐部８１と本体７の錐部７４とは密着している。更に狭いスペースにしっかりと膨らみ、中心穴８０の壁と蛇口５の水道配管出口５０の管壁と広い面積で密着し、緩みとめの作用が働くことになる。
【００１０】
本実施例における広い面積での緩みとめという作用あるいは圧力抵抗などの作用は点状の緩みとめのエリアに用いても効果は明らかに上がり、いくら水道の圧力が増加しても抜ける心配をしなくてもよい。緩みとめの圧力が大幅に上がるため、本実施例には必ず固定チェーンという構造を採用しなければならない。本実施例の固定チェーンを使えば、伝統的な構造におけるかみ合い耳を除去するか、更に付属塊７２、７３に代えてもよい。そうして蛇口装置を本実施例に用いると便利になり、さらに取り付けをしやすくなる。上記の図５、６、および７のように、本体７の下の外部ねじ山７１は水道３のナット３０に接続する。更に図９は第二実施例である。この水道９は快速継目９０とつながり、この快速継目９０を使うことができるため、本実施例における本体７の下半部は一種の相対形状の接続配管７５に交換するが、伝統的な構造なのでここでは詳述しない。
【図面の簡単な説明】
【００１１】
【図１】従来の蛇口継目を示す外観斜視図である。
【図２】従来の蛇口継目を示す分解斜視図である。
【図３】従来の蛇口継目を使用している状態を示す外観斜視図である。
【図４】従来の蛇口継目を使用している状態を示す断面図である。
【図５】本考案の第一実施例による蛇口継目を示す外観斜視図である。
【図６】本考案の第一実施例による蛇口継目を示す分解斜視図である。
【図７】本考案の第一実施例による蛇口継目を使用している状態を示す外観斜視図である。
【図８】本考案の第一実施例による蛇口継目を使用している状態を示す断面図である。
【図９】本考案の第二実施例による蛇口継目を使用している状態を示す外観斜視図である。
【符号の説明】
【００１２】
１  カバー、１０  中心穴、１１  内部ねじ山、１２  内部斜面、２  本体、２０  上の外部ねじ山、２１  下の外部ねじ山、２２、２３  かみ合い耳、２４  通路、２５  かみ合い切片、２５１  かみ合い、２６  固定チェーン、３  水道配管  ３０  ナット、４  締め付け用配管、４０  中心穴、５  蛇口、５０  水道配管出口、６  カバー、６０  中心穴、６１  内部ねじ山、７  本体、７０  外部ねじ山、７１  下ねじ山、７２、７３  付属塊、７４穿道、７４１  錐部、７５  接続配管、８  締め付け用の配管、８０  中心穴、８１  錐部、９  水道配管、９０  快速継目
【図１】
0003105626.tif 000003
【図２】
0003105626.tif 000004
【図３】
0003105626.tif 000005
【図４】
0003105626.tif 000006
【図５】
0003105626.tif 000007
【図６】
0003105626.tif 000008
【図７】
0003105626.tif 000009
【図８】
0003105626.tif 000010
【図９】
0003105626.tif 000011